(57)【要約】【課題】  読取デバイスによって複数ページの原稿から読み取られた複数の画像を適切なファイル形式で画像毎にファイル化することができるとともに、ファイルの管理が煩雑になることを防止することができる画像処理装置を提供する。【解決手段】  ＭＦＰは、原稿から画像を読み取るスキャナーと、スキャナーによって読み取られた画像の構成要素に基づいて画像の出力のためのファイル形式を画像毎に決定する（Ｓ１０２）出力形式決定手段と、出力形式決定手段によって決定されたファイル形式で画像のファイルである画像ファイルを画像毎に作成する（Ｓ１０３）画像ファイル作成手段と、画像ファイル作成手段によって複数ページの原稿に対して作成された複数の画像ファイルを添付ファイルとしたＰＤＦファイルを作成する（Ｓ１０９）ＰＤＦファイル作成手段とを備えていることを特徴とする。【選択図】  図３
2014048754.tif 000002
【特許請求の範囲】
【請求項１】
原稿から画像を読み取る読取デバイスと、前記読取デバイスによって読み取られた前記画像の構成要素に基づいて前記画像の出力のためのファイル形式を前記画像毎に決定する出力形式決定手段と、前記出力形式決定手段によって決定された前記ファイル形式で前記画像のファイルである画像ファイルを前記画像毎に作成する画像ファイル作成手段と、前記画像ファイル作成手段によって複数ページの前記原稿に対して作成された複数の前記画像ファイルを添付ファイルとしたＰＤＦファイルを作成するＰＤＦファイル作成手段とを備えていることを特徴とする画像処理装置。
【請求項２】
前記ＰＤＦファイル作成手段は、前記ＰＤＦファイルの前記添付ファイルとする前記画像ファイルの概要を示す情報を前記ＰＤＦファイルのページに含めることを特徴とする請求項１に記載の画像処理装置。
【請求項３】
前記ＰＤＦファイル作成手段は、前記ＰＤＦファイルの前記添付ファイルとする前記画像ファイルのサムネイル画像を前記ＰＤＦファイルのページに含めることを特徴とする請求項１または請求項２に記載の画像処理装置。
【請求項４】
前記サムネイル画像を前記ＰＤＦファイルのページに含めるか否かを設定するサムネイル有無設定手段を備えており、
前記ＰＤＦファイル作成手段は、前記サムネイル画像を前記ＰＤＦファイルのページに含めるということが前記サムネイル有無設定手段によって設定されている場合のみ、前記ＰＤＦファイルのページに前記サムネイル画像を含め、
前記サムネイル有無設定手段は、利用者の指示に応じて設定を変更することを特徴とする請求項３に記載の画像処理装置。
【請求項５】
前記画像の前記構成要素と、前記ファイル形式との対応関係を設定する対応関係設定手段を備えており、
前記出力形式決定手段は、前記読取デバイスによって読み取った前記画像の前記構成要素と、前記対応関係設定手段によって設定されている前記対応関係とに基づいて、前記ファイル形式を決定し、
前記対応関係設定手段は、利用者の指示に応じて前記対応関係を変更することを特徴とする請求項１から請求項４までの何れかに記載の画像処理装置。
【発明の詳細な説明】
【技術分野】
【０００１】
本発明は、原稿から画像を読み取る読取デバイスを備えていて、読取デバイスによって読み取られた画像のファイルを作成する画像処理装置に関する。
【背景技術】
【０００２】
従来の画像処理装置として、読取デバイスによって複数ページの原稿から読み取られた複数の画像のページを含むＰＤＦ（Ｐｏｒｔａｂｌｅ  Ｄｏｃｕｍｅｎｔ  Ｆｏｒｍａｔ）ファイルなどの電子化文書を作成するものが知られている（特許文献１参照。）。この画像処理装置は、読取デバイスによって読み取られた画像から、表題（タイトル）と、この表題の位置とを抽出し、抽出した表題および表題の位置に基づいてしおりデータを生成し、このしおりデータを電子化文書に含める。
【先行技術文献】
【特許文献】
【０００３】
【特許文献１】特開２００８−３０５０８９号公報
【発明の概要】
【発明が解決しようとする課題】
【０００４】
しかしながら、従来の画像処理装置においては、読取デバイスによって複数ページの原稿から読み取られた複数の画像を、写真や文字など、その構成要素によらず、ＰＤＦ形式などの同一のファイル形式で電子化文書に含めるので、読取デバイスによって読み取られた画像を適切なファイル形式でファイル化することができないという問題がある。
【０００５】
なお、読取デバイスによって複数ページの原稿から読み取られた複数の画像を、その構成要素に応じたファイル形式で画像毎にファイル化する方法も考えられるが、ファイル形式毎に別々のファイルになるので、ファイルの管理が煩雑になるという問題がある。
【０００６】
そこで、本発明は、読取デバイスによって複数ページの原稿から読み取られた複数の画像を適切なファイル形式で画像毎にファイル化することができるとともに、ファイルの管理が煩雑になることを防止することができる画像処理装置を提供することを目的とする。
【課題を解決するための手段】
【０００７】
本発明の画像処理装置は、原稿から画像を読み取る読取デバイスと、前記読取デバイスによって読み取られた前記画像の構成要素に基づいて前記画像の出力のためのファイル形式を前記画像毎に決定する出力形式決定手段と、前記出力形式決定手段によって決定された前記ファイル形式で前記画像のファイルである画像ファイルを前記画像毎に作成する画像ファイル作成手段と、前記画像ファイル作成手段によって複数ページの前記原稿に対して作成された複数の前記画像ファイルを添付ファイルとしたＰＤＦファイルを作成するＰＤＦファイル作成手段とを備えていることを特徴とする。
【０００８】
この構成により、本発明の画像処理装置は、読取デバイスによって読み取られた画像の構成要素に基づいて画像の出力のためのファイル形式を画像毎に決定し、決定したファイル形式で画像ファイルを画像毎に作成するので、読取デバイスによって複数ページの原稿から読み取られた複数の画像を適切なファイル形式で画像毎にファイル化することができる。また、本発明の画像処理装置は、複数ページの原稿に対して作成した複数の画像ファイルを添付ファイルとした１つのＰＤＦファイルを作成するので、ファイルの管理が煩雑になることを防止することができる。
【０００９】
また、本発明の画像処理装置において、前記ＰＤＦファイル作成手段は、前記ＰＤＦファイルの前記添付ファイルとする前記画像ファイルの概要を示す情報を前記ＰＤＦファイルのページに含めても良い。
【００１０】
この構成により、本発明の画像処理装置は、ＰＤＦファイルの添付ファイルである複数の画像ファイルのそれぞれの概要を利用者に容易に認識させることができる。
【００１１】
また、本発明の画像処理装置において、前記ＰＤＦファイル作成手段は、前記ＰＤＦファイルの前記添付ファイルとする前記画像ファイルのサムネイル画像を前記ＰＤＦファイルのページに含めても良い。
【００１２】
この構成により、本発明の画像処理装置は、ＰＤＦファイルの添付ファイルである複数の画像ファイルのそれぞれの画像の簡易的な内容を利用者に容易に認識させることができる。
【００１３】
また、本発明の画像処理装置は、前記サムネイル画像を前記ＰＤＦファイルのページに含めるか否かを設定するサムネイル有無設定手段を備えており、前記ＰＤＦファイル作成手段は、前記サムネイル画像を前記ＰＤＦファイルのページに含めるということが前記サムネイル有無設定手段によって設定されている場合のみ、前記ＰＤＦファイルのページに前記サムネイル画像を含め、前記サムネイル有無設定手段は、利用者の指示に応じて設定を変更しても良い。
【００１４】
この構成により、本発明の画像処理装置は、ＰＤＦファイルの添付ファイルである画像ファイルのサムネイル画像の必要の有無を利用者に設定させることができる。
【００１５】
また、本発明の画像処理装置は、前記画像の前記構成要素と、前記ファイル形式との対応関係を設定する対応関係設定手段を備えており、前記出力形式決定手段は、前記読取デバイスによって読み取った前記画像の前記構成要素と、前記対応関係設定手段によって設定されている前記対応関係とに基づいて、前記ファイル形式を決定し、前記対応関係設定手段は、利用者の指示に応じて前記対応関係を変更しても良い。
【００１６】
この構成により、本発明の画像処理装置は、画像の構成要素と、画像の出力のためのファイル形式との対応関係を利用者の指示に応じて変更するので、読取デバイスによって原稿から読み取られた画像を利用者にとって適切なファイル形式で画像毎にファイル化することができる。
【発明の効果】
【００１７】
本発明の画像処理装置は、読取デバイスによって複数ページの原稿から読み取られた複数の画像を適切なファイル形式で画像毎にファイル化することができるとともに、ファイルの管理が煩雑になることを防止することができる。
【図面の簡単な説明】
【００１８】
【図１】本発明の一実施の形態に係るＭＦＰのブロック図である。
【図２】図１に示すファイル作成設定の一例を示す図である。
【図３】スキャナーによって読み取られた画像の出力のためのファイル形式を自動的に決定するということがファイル形式自動決定設定に設定されている場合の図１に示すＭＦＰによるＳｃａｎＴｏＰＤＦの動作のフローチャートである。
【図４】スキャナーによって読み取られた画像の出力のためのファイル形式を自動的に決定するということがファイル形式自動決定設定に設定されている場合であって、サムネイル画像をＰＤＦファイルのページに含めないということがサムネイル有無設定に設定されている場合に、図１に示すＭＦＰによるＳｃａｎＴｏＰＤＦの動作において作成されたＰＤＦファイルの表示装置による表示例を示す図である。
【図５】図４に示す表示例において「詳細情報」というテキストがクリックされた場合の表示装置による表示例を示す図である。
【図６】スキャナーによって読み取られた画像の出力のためのファイル形式を自動的に決定するということがファイル形式自動決定設定に設定されている場合であって、サムネイル画像をＰＤＦファイルのページに含めるということがサムネイル有無設定に設定されている場合に、図１に示すＭＦＰによるＳｃａｎＴｏＰＤＦの動作において作成されたＰＤＦファイルの表示装置による表示例を示す図である。
【発明を実施するための形態】
【００１９】
以下、本発明の一実施の形態について、図面を用いて説明する。
【００２０】
まず、本実施の形態に係る画像処理装置であるＭＦＰ（Ｍｕｌｔｉｆｕｎｃｔｉｏｎ  Ｐｅｒｉｐｈｅｒａｌ）の構成について説明する。
【００２１】
図１は、本実施の形態に係るＭＦＰ１０のブロック図である。
【００２２】
図１に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、用紙に印刷を実行する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ネットワーク経由で外部の装置と通信を行うネットワーク通信デバイスであるネットワーク通信部１６と、ＵＳＢ（Ｕｎｉｖｅｒｓａｌ  Ｓｅｒｉａｌ  Ｂｕｓ）メモリーなどのＵＳＢデバイスが接続されるＵＳＢコネクター１７と、各種のデータを記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１８と、ＭＦＰ１０全体を制御する制御部１９とを備えている。
【００２３】
記憶部１８は、ＭＦＰ１０用のプログラムである画像処理装置用プログラム１８ａと、スキャナー１４による画像の読み取りの設定であるスキャン設定１８ｂと、スキャナー１４によって読み取られた画像の出力のためのファイル形式を自動的に決定するか否かの設定であるファイル形式自動決定設定１８ｃと、画像ファイルの作成の設定であるファイル作成設定１８ｄと、ＰＤＦファイルの添付ファイルとする画像ファイルのサムネイル画像をＰＤＦファイルのページに含めるか否かの設定であるサムネイル有無設定１８ｅとを記憶している。
【００２４】
画像処理装置用プログラム１８ａは、ＭＦＰ１０の製造段階でＭＦＰ１０にインストールされていても良いし、ＳＤカード、ＵＳＢメモリーなどの記憶媒体からＭＦＰ１０に追加でインストールされても良いし、ネットワーク上からＭＦＰ１０に追加でインストールされても良い。
【００２５】
スキャン設定１８ｂは、例えば、写真、文字などの画質設定と、カラー、白黒などのカラー設定と、３００×３００ｄｐｉ、６００×６００ｄｐｉなどの解像度設定とを含んでいる設定である。
【００２６】
図２は、ファイル作成設定１８ｄの一例を示す図である。
【００２７】
図２に示すように、ファイル作成設定１８ｄは、画像の構成要素と、ファイル形式との対応関係である。
【００２８】
画像の構成要素は、「写真」、「文字」、「写真および文字」、「表」、「線図形」などの画像の種類と、「白黒」、「グレースケール」、「カラー」などの画像のカラーとの組み合わせである。ここで、画像の種類において、「写真」とは、文字を含んでいない画像のことを意味しており、「文字」とは、文字を含んでいるが写真を含んでいない画像のことを意味しており、「写真および文字」とは、写真および文字を含んでいる画像のことを意味している。また、画像のカラーにおいて、「白黒」とは、白および黒の２値以外の色を含んでいない画像のことを意味しており、「グレースケール」とは、白、黒およびこれらの中間値以外の色を含んでいない画像のことを意味しており、「カラー」とは、白、黒およびこれらの中間値以外の色を含んでいる画像のことを意味している。
【００２９】
ファイル形式としては、例えば、ＪＰＥＧ、ＴＩＦＦ、サーチャブルＰＤＦ、サーチャブル高圧縮ＰＤＦ、ＲＴＦ（Ｒｉｃｈ  Ｔｅｘｔ  Ｆｏｒｍａｔ）などがある。
【００３０】
図１に示す制御部１９は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１８に記憶されているプログラムを実行するようになっている。
【００３１】
制御部１９は、記憶部１８に記憶されている画像処理装置用プログラム１８ａを実行することによって、スキャン設定１８ｂを設定するスキャン設定手段１９ａ、ファイル形式自動決定設定１８ｃを設定するファイル形式自動決定設定手段１９ｂ、ファイル作成設定１８ｄを設定する本発明の対応関係設定手段としてのファイル作成設定手段１９ｃ、サムネイル有無設定１８ｅを設定するサムネイル有無設定手段１９ｄ、スキャナー１４によって読み取られた画像の構成要素に基づいて画像の出力のためのファイル形式を画像毎に決定する出力形式決定手段１９ｅ、出力形式決定手段１９ｅによって決定されたファイル形式で画像のファイルである画像ファイルを画像毎に作成する画像ファイル作成手段１９ｆ、および、複数ページの原稿に対して画像ファイル作成手段１９ｆによって作成された複数の画像ファイルを添付ファイルとしたＰＤＦファイルを作成するＰＤＦファイル作成手段１９ｇとして機能する。
【００３２】
次に、ＭＦＰ１０の動作について説明する。
【００３３】
まず、各種設定の変更について説明する。
【００３４】
利用者が操作部１１を介してスキャン設定１８ｂの変更をＭＦＰ１０に指示すると、制御部１９のスキャン設定手段１９ａは、操作部１１を介して入力された指示に応じてスキャン設定１８ｂを変更する。
【００３５】
また、利用者が操作部１１を介してファイル形式自動決定設定１８ｃの変更をＭＦＰ１０に指示すると、制御部１９のファイル形式自動決定設定手段１９ｂは、操作部１１を介して入力された指示に応じてファイル形式自動決定設定１８ｃを変更する。
【００３６】
また、利用者が操作部１１を介してファイル作成設定１８ｄの変更をＭＦＰ１０に指示すると、制御部１９のファイル作成設定手段１９ｃは、操作部１１を介して入力された指示に応じてファイル作成設定１８ｄを変更する。
【００３７】
また、利用者が操作部１１を介してサムネイル有無設定１８ｅの変更をＭＦＰ１０に指示すると、制御部１９のサムネイル有無設定手段１９ｄは、操作部１１を介して入力された指示に応じてサムネイル有無設定１８ｅを変更する。
【００３８】
なお、制御部１９は、以上において、各種設定の変更の指示を操作部１１を介して受けるようになっているが、例えばＰＣ（Ｐｅｒｓｏｎａｌ  Ｃｏｍｐｕｔｅｒ）から送信された各種設定の変更の指示をネットワーク通信部１６を介して受信することもできる。
【００３９】
次に、スキャナー１４によって画像を読み取ってＰＤＦファイルを作成する動作、すなわち、いわゆるＳｃａｎＴｏＰＤＦの動作について説明する。
【００４０】
制御部１９は、操作部１１またはネットワーク通信部１６を介してＳｃａｎＴｏＰＤＦの指示を受けた場合に、上述したように各種設定の変更を受け付けることができるとともに、スキャナー１４による画像の読み取りの開始の指示を受け付けることができる。
【００４１】
制御部１９は、操作部１１またはネットワーク通信部１６を介してＳｃａｎＴｏＰＤＦの指示を受けた後、スキャナー１４による画像の読み取りの開始の指示を受け付けた場合に、スキャナー１４によって読み取られた画像の出力のためのファイル形式を自動的に決定しないということがファイル形式自動決定設定１８ｃに設定されているとき、スキャン設定１８ｂの設定に応じてスキャナー１４に原稿を読み取らせて、スキャナー１４によって原稿から読み取らせた画像のＰＤＦファイルを作成する。
【００４２】
したがって、制御部１９は、例えば、スキャナー１４が全部で１０枚の原稿を読み取った場合、１枚の原稿から読み取られた画像を１ページとした、全体で１０ページのＰＤＦファイルを作成する。
【００４３】
制御部１９は、操作部１１またはネットワーク通信部１６を介してＳｃａｎＴｏＰＤＦの指示を受けた後、スキャナー１４による画像の読み取りの開始の指示を受け付けた場合に、スキャナー１４によって読み取られた画像の出力のためのファイル形式を自動的に決定するということがファイル形式自動決定設定１８ｃに設定されているとき、図３に示す処理を実行する。
【００４４】
図３は、スキャナー１４によって読み取られた画像の出力のためのファイル形式を自動的に決定するということがファイル形式自動決定設定１８ｃに設定されている場合のＭＦＰ１０によるＳｃａｎＴｏＰＤＦの動作のフローチャートである。
【００４５】
図３に示すように、制御部１９のＰＤＦファイル作成手段１９ｇは、空白のＰＤＦファイルを作成する（Ｓ１００）。
【００４６】
次いで、制御部１９は、スキャン設定１８ｂの設定に応じてスキャナー１４に１枚の原稿を読み取らせる（Ｓ１０１）。
【００４７】
次いで、制御部１９の出力形式決定手段１９ｅは、Ｓ１０１においてスキャナー１４によって原稿から読み取られた画像の構成要素に基づいて、画像の出力のためのファイル形式を決定する（Ｓ１０２）。すなわち、出力形式決定手段１９ｅは、Ｓ１０１においてスキャナー１４によって原稿から読み取られた画像に対して、ＯＣＲ（Ｏｐｔｉｃａｌ  Ｃｈａｒａｃｔｅｒ  Ｒｅｃｏｇｎｉｔｉｏｎ）処理によってレイアウト解析および文字認識を実行し、この画像の構成要素、すなわち、「写真」、「文字」、「写真および文字」などの画像の種類と、「白黒」、「グレースケール」「カラー」などの画像のカラーとの組み合わせを判断する。そして、出力形式決定手段１９ｅは、判断した画像の構成要素と、ファイル作成設定１８ｄとに基づいて、ファイル形式を決定する。例えば、画像の構成要素が「写真」および「白黒」の組み合わせであってファイル作成設定１８ｄが図２に示す設定である場合、出力形式決定手段１９ｅは、この画像のファイル形式をＴＩＦＦに決定する。
【００４８】
次いで、制御部１９の画像ファイル作成手段１９ｆは、Ｓ１０１においてスキャナー１４によって原稿から読み取られた画像に基づいて、Ｓ１０２において決定されたファイル形式で画像ファイルを作成する（Ｓ１０３）。例えば、画像ファイル作成手段１９ｆは、Ｓ１０２においてファイル形式としてＴＩＦＦが決定されていた場合、ＴＩＦＦ形式の画像ファイルを作成する。なお、制御部１９は、Ｓ１０３において作成した画像ファイルを、後述のＳ１０９の処理において使用するまで、記憶部１８に記憶させておく。
【００４９】
次いで、制御部１９のＰＤＦファイル作成手段１９ｇは、Ｓ１０３において作成した画像ファイルの概要を示す情報を、Ｓ１００において作成したＰＤＦファイルのページに含める（Ｓ１０４）。画像ファイルの概要を示す情報としては、例えば、「写真」、「文字」、「写真および文字」などの画像の種類と、「白黒」、「グレースケール」「カラー」などの画像のカラーと、「Ａ４」、「Ａ４横」などの画像の用紙サイズと、「ＪＰＥＧ」、「ＴＩＦＦ」、「サーチャブルＰＤＦ」、「サーチャブル高圧縮ＰＤＦ」、「ＲＴＦ」などの画像のファイル形式と、「３００ｄｐｉ」、「６００ｄｐｉ」などの画像の解像度と、画像のデータサイズとを含んでいる。
【００５０】
次いで、ＰＤＦファイル作成手段１９ｇは、ＰＤＦファイルの添付ファイルとする画像ファイルのサムネイル画像をＰＤＦファイルのページに含めるということがサムネイル有無設定１８ｅにおいて設定されているか否かを判断する（Ｓ１０５）。
【００５１】
ＰＤＦファイル作成手段１９ｇは、サムネイル画像をＰＤＦファイルのページに含めるということがサムネイル有無設定１８ｅにおいて設定されているとＳ１０５において判断すると、Ｓ１０３において作成した画像ファイルのサムネイル画像を作成する（Ｓ１０６）。
【００５２】
次いで、ＰＤＦファイル作成手段１９ｇは、Ｓ１０６において作成したサムネイル画像を、Ｓ１００において作成したＰＤＦファイルのページに含める（Ｓ１０７）。
【００５３】
ＰＤＦファイル作成手段１９ｇは、サムネイル画像をＰＤＦファイルのページに含めないということがサムネイル有無設定１８ｅにおいて設定されているとＳ１０５において判断するか、Ｓ１０７の処理を終了すると、スキャナー１４による全ての原稿の読み取りが終了したか否かを判断する（Ｓ１０８）。
【００５４】
ＰＤＦファイル作成手段１９ｇは、スキャナー１４による読み取りが終了していない原稿が存在するとＳ１０８において判断すると、再びＳ１０１の処理に戻る。
【００５５】
一方、ＰＤＦファイル作成手段１９ｇは、スキャナー１４による全ての原稿の読み取りが終了したとＳ１０８において判断すると、Ｓ１０３において作成された全ての画像ファイルを、Ｓ１００において作成したＰＤＦファイルに添付ファイルとして追加する（Ｓ１０９）。
【００５６】
最後に、ＰＤＦファイル作成手段１９ｇは、ＭＦＰ１０の製品名と、Ｓ１０９において画像ファイルを添付したＰＤＦファイルの作成日および全頁数とを、このＰＤＦファイルに含めて（Ｓ１１０）、図３に示す処理を終了する。
【００５７】
なお、制御部１９は、ＳｃａｎＴｏＰＤＦにおいて作成したＰＤＦを、例えば、ネットワーク通信部１６を介してＰＣに送信するようになっていても良いし、ＵＳＢコネクター１７を介してＵＳＢメモリーに記憶させるようになっていても良いし、記憶部１８に記憶させるようになっていても良い。
【００５８】
また、制御部１９は、ＳｃａｎＴｏＰＤＦにおいて作成するＰＤＦファイルとして、高圧縮ＰＤＦやＰＤＦ／Ａなど任意の形式のＰＤＦファイルを採用することができる。例えば、制御部１９は、ＳｃａｎＴｏＰＤＦにおいて作成するＰＤＦファイルとして、ＲＣ４  １２８ｂｉｔ暗号を適用したＰＤＦファイルを採用することによって、セキュリティー面を強化することができる。また、制御部１９は、ＳｃａｎＴｏＰＤＦにおいて作成するＰＤＦファイルとして、Ｆｌａｔｅ圧縮を適用したＰＤＦファイルを採用することによって、ＰＤＦファイルのファイルサイズを圧縮することができる。
【００５９】
以上においては、スキャナー１４によって画像を読み取って即時にＰＤＦファイルを作成する動作について説明しているが、スキャナー１４によって読み取った画像を記憶部１８に一旦保存しておいて、その画像に基づいて利用者からの指示に応じたタイミングでＰＤＦファイルを作成する動作についても同様である。
【００６０】
図４は、スキャナー１４によって読み取られた画像の出力のためのファイル形式を自動的に決定するということがファイル形式自動決定設定１８ｃに設定されている場合であって、サムネイル画像をＰＤＦファイルのページに含めないということがサムネイル有無設定１８ｅに設定されている場合に、ＭＦＰ１０によるＳｃａｎＴｏＰＤＦの動作において作成されたＰＤＦファイルのＰＣなどの表示装置による表示例を示す図である。
【００６１】
図４に示す例は、スキャナー１４が全部で７枚の原稿を読み取った場合の例である。
【００６２】
図４に示す表示例には、Ｓ１１０においてＰＤＦファイルに含められた情報３１が含まれている。また、図４に示す表示例には、Ｓ１０９において追加された添付ファイル３２が含まれている。また、図４に示す表示例には、Ｓ１０４においてＰＤＦファイルに含められた情報３３が添付ファイル毎に含まれている。
【００６３】
なお、添付ファイル３２は、注釈として含まれていても良い。すなわち、図４に示す表示例において、例えば各添付ファイル３２を表すアイコンがＰＤＦファイルのページに配置されて、そのアイコンがクリックされることによって、対応する添付ファイル３２が開くようになっていても良い。
【００６４】
また、情報３３は、「詳細情報」というテキスト３３ａがクリックされることによって、埋め込まれているテキスト注釈が図５に示すように開いて、更に詳細な情報を表示するようになっていても良い。
【００６５】
図６は、スキャナー１４によって読み取られた画像の出力のためのファイル形式を自動的に決定するということがファイル形式自動決定設定１８ｃに設定されている場合であって、サムネイル画像をＰＤＦファイルのページに含めるということがサムネイル有無設定１８ｅに設定されている場合に、ＭＦＰ１０によるＳｃａｎＴｏＰＤＦの動作において作成されたＰＤＦファイルのＰＣなどの表示装置による表示例を示す図である。
【００６６】
図６に示す表示例には、図４に示す表示例と比較して、Ｓ１０７においてＰＤＦファイルに含められたサムネイル画像３４が更に含まれている。
【００６７】
以上に説明したように、ＭＦＰ１０は、スキャナー１４によって読み取られた画像の構成要素に基づいて画像の出力のためのファイル形式を画像毎に決定し（Ｓ１０２）、決定したファイル形式で画像ファイルを画像毎に作成する（Ｓ１０３）ので、スキャナー１４によって複数ページの原稿から読み取られた複数の画像を適切なファイル形式で画像毎にファイル化することができる。
【００６８】
また、ＭＦＰ１０は、複数ページの原稿に対して作成した複数の画像ファイルを添付ファイルとした１つのＰＤＦファイルを作成する（Ｓ１０９）ので、ファイルの管理が煩雑になることを防止することができる。
【００６９】
また、ＭＦＰ１０は、ＰＤＦファイルの添付ファイルとする画像ファイルの概要を示す情報を一覧としてＰＤＦファイルのページに含める（Ｓ１０４）ので、ＰＤＦファイルの添付ファイルである複数の画像ファイルのそれぞれの概要を利用者に容易に認識させることができる。
【００７０】
また、ＭＦＰ１０は、ＰＤＦファイルの添付ファイルとする画像ファイルのサムネイル画像をＰＤＦファイルのページに含める（Ｓ１０７）ので、ＰＤＦファイルの添付ファイルである複数の画像ファイルのそれぞれの画像の簡易的な内容を利用者に容易に認識させることができる。
【００７１】
また、ＭＦＰ１０は、サムネイル画像をＰＤＦファイルのページに含めるということがサムネイル有無設定手段１９ｄによって設定されている場合（Ｓ１０５でＹＥＳ）のみ、ＰＤＦファイルのページにサムネイル画像を含める（Ｓ１０７）ので、ＰＤＦファイルの添付ファイルである画像ファイルのサムネイル画像の必要の有無を利用者に設定させることができる。
【００７２】
また、ＭＦＰ１０は、画像の構成要素と、画像の出力のためのファイル形式との対応関係であるファイル作成設定１８ｄを利用者の指示に応じて変更するので、スキャナー１４によって原稿から読み取られた画像を利用者にとって適切なファイル形式で画像毎にファイル化することができる。
【００７３】
本発明の画像処理装置は、本実施の形態においてＭＦＰであるが、スキャナー専用機など、ＭＦＰ以外の画像処理装置であっても良い。
【符号の説明】
【００７４】
１０  ＭＦＰ（画像処理装置）
１４  スキャナー（読取デバイス）
１９ｃ  ファイル作成設定手段（対応関係設定手段）
１９ｄ  サムネイル有無設定手段
１９ｅ  出力形式決定手段
１９ｆ  画像ファイル作成手段
１９ｇ  ＰＤＦファイル作成手段
３２  添付ファイル
３３  情報（画像ファイルの概要を示す情報）
３４  サムネイル画像
【図１】
2014048754.tif 000003
【図２】
2014048754.tif 000004
【図３】
2014048754.tif 000005
【図４】
2014048754.tif 000006
【図５】
2014048754.tif 000007
【図６】
2014048754.tif 000008